(57)【要約】【課題】コイルコンストラクションと表地及び詰物との結合、さらには分離を、容易に行えるようにすると共に、前記結合状態を合理的に強化できるようにする。【解決手段】ボーダーワイヤーＭａに対するクリップ１との間で水平面部Ｍｂａを覆う表地Ｓａの縁部に連接されたフランジ状生地Ｓａ’などを挟持するリテーナ２を有している。クリップ１は、前記水平面部Ｍｂａに接する横向き部分１０と、この横向き部分１０の外端部１０ｃから高さ方向ｚに延びる縦向き部分１１とを有しており、前記横向き部分１０と前記縦向き部分１１との間の屈曲部１２の屈曲内側に前記ボーダーワイヤーＭａを弾性変形により内部に受け入れるクランプ部１３を備えると共に、前記縦向き部分１１の突き出し端部に頭部１１ａを備えている。前記リテーナ２を、入り口２３を弾性的に広げながら前記クリップ１の前記頭部１１ａを内部に受け入れるチャンネル状体としている。【選択図】図４
2015107150.tif 000002
【特許請求の範囲】
【請求項１】
ポケットコイル又はオープンコイルの集合体と、輪郭を四角形状とするこの集合体の水平面部を縁取るボーダーワイヤーとを備えてなるコイルコンストラクションを主体とするベッド用マットレスであって、
前記ボーダーワイヤーに対するクリップと、
前記クリップとの間で前記水平面部を覆う表地の縁部に連接されたフランジ状生地及び前記表地と前記水平面部との間に納められる詰物の縁部の双方又はいずれか一方を挟持するリテーナとを有しており、
前記クリップは、前記水平面部に接する横向き部分と、この横向き部分の外端部から高さ方向に延びる縦向き部分とを有しており、前記横向き部分と前記縦向き部分との間の屈曲部の屈曲内側に前記ボーダーワイヤーを弾性変形により内部に受け入れるクランプ部を備えると共に、前記縦向き部分の突き出し端部に頭部を備えており、
前記リテーナは、入り口を弾性的に広げながら前記クリップの前記頭部を内部に受け入れるチャンネル状体である、ベッド用マットレス。
【請求項２】
前記クリップの屈曲部の屈曲内側において、前記横向き部分と前記縦向き部分とがなす角度が、直角又は直角よりもやや角度を小さくした鋭角である、請求項１に記載のベッド用マットレス。
【請求項３】
前記クリップの前記縦向き部分における前記クランプ部と前記頭部との間であって、前記クリップの左右方向中程の位置に、突出部を形成してなる、請求項１又は請求項２に記載のベッド用マットレス。
【発明の詳細な説明】
【技術分野】
【０００１】
この発明は、ポケットコイル又はオープンコイルの集合体を主体として構成されたベッド用のマットレスの改良に関する。
【背景技術】
【０００２】
複数のポケットコイルＰ、Ｐ…（特許文献１参照）を寄せ集めてなる、輪郭を四角形状とする上下の水平面部Ｍｂａを備えた集合体Ｍｂを、マットレスの主体としてなるベッド用のマットレスがある。
【０００３】
かかるマットレスにあっては、前記集合体Ｍｂの上下にそれぞれ、金属製の線材からなるボーダーワイヤーＭａが取り付けられ、この集合体ＭｂとボーダーワイヤーＭａとによってコイルコンストラクションＭが構成される。かかるボーダーワイヤーＭａは水平面部Ｍｂａを縁取るように配されると共に、ポケットコイルＰを構成する圧縮コイルスプリングＰａを納めた生地Ｐｂを貫いて当該圧縮コイルスプリングＰａに止め付けられる金属リングＲを利用して取り付けられる。（図９）
【０００４】
また、前記集合体Ｍｂの水平面部Ｍｂａは表地Ｓａ（パネルなどと称される。）によって覆われるとと共に、この表地Ｓａと水平面部Ｍｂａとの間にはマット状をなす詰物Ｓｂが納められる。表地Ｓａの縁部にはその全周にフランジ状生地Ｓａ’が備えられており、表地ＳａはコイルコンストラクションＭに対し前記ボーダーワイヤーＭａを内側に通すようにした前記金属リングＲを前記フランジ状生地Ｓａ’に止め付けることで取り付けられている。また、前記詰物ＳｂもコイルコンストラクションＭに対し前記ボーダーワイヤーＭａを内側に通すようにした前記金属リングＲをこの詰物Ｓｂの縁部に止め付けることで取り付けられている。（図９）
【０００５】
このため、かかるマットレスを製造するにあたっては、前記金属リングＲの止め付けをなすために専用の工具と設備とを必要とすると共に、表地Ｓａを張り替えるといったマットレスの修理も簡単にはなし得ないところであった。また、マットレスの廃棄にあたっても、コイルコンストラクションＭ側と表地Ｓａ及び詰物Ｓｂ側とを分離し難いため、これを適正に分別処理するのに相応の労力を要するところであった。
【０００６】
なお、かかる事情は、複数のオープンコイルを寄せ集めてマットレスの主体を構成してなるベッド用のマットレスでも同様である。
【先行技術文献】
【特許文献】
【０００７】
【特許文献１】特開２００１−２８９２７６号公報
【発明の概要】
【発明が解決しようとする課題】
【０００８】
この発明が解決しようとする主たる問題点は、この種のポケットコイル又はオープンコイルを使用して構成されたベッド用マットレスにおいて、コイルコンストラクションと表地及び詰物との結合、さらには分離を、容易に行えるようにすると共に、前記結合状態を合理的に強化できるようにする点にある。
【課題を解決するための手段】
【０００９】
前記課題を達成するために、この発明にあっては、ベッド用マットレスを、ポケットコイル又はオープンコイルの集合体と、輪郭を四角形状とするこの集合体の水平面部を縁取るボーダーワイヤーとを備えてなるコイルコンストラクションを主体とするベッド用マットレスであって、
前記ボーダーワイヤーに対するクリップと、
前記クリップとの間で前記水平面部を覆う表地の縁部に連接されたフランジ状生地及び前記表地と前記水平面部との間に納められる詰物の縁部の双方又はいずれか一方を挟持するリテーナとを有しており、
前記クリップは、前記水平面部に接する横向き部分と、この横向き部分の外端部から高さ方向に延びる縦向き部分とを有しており、前記横向き部分と前記縦向き部分との間の屈曲部の屈曲内側に前記ボーダーワイヤーを弾性変形により内部に受け入れるクランプ部を備えると共に、前記縦向き部分の突き出し端部に頭部を備えており、
前記リテーナを、入り口を弾性的に広げながら前記クリップの前記頭部を内部に受け入れるチャンネル状体としたものとした。
【００１０】
前記クリップは、前記クランプ部に前記弾性変形によりボーダーワイヤーを留め付けることで前記集合体側と結合され、また、このクリップの縦向き部分の頭部とリテーナとの間にフランジ状生地及び詰物の縁部を介在させた状態からリテーナの入り口を弾性的に広げながらこのリテーナ内に前記頭部を受入させることでフランジ状生地及び詰物側と結合され、これにより、前記集合体側とフランジ状生地及び詰物側とが一体化される。かかる結合は特別な工具などを用いなくとも適切になすことができ、コイルコンストラクションを主体としたマットレスを容易に製造することが可能となる。マットレスの使用状態においては、フランジ状生地及び詰物の縁部を高さ方向に引っ張る向きの力が作用されることとなるが、前記頭部はクリップの縦向き部分の突き出し端部に形成されていることから、このような力が作用されればされるほどリテーナが前記頭部との間でかかるフランジ状生地及び詰物の縁部をより強固に挟持するようにすることができる。また、前記クリップとボーダーワイヤーの結合は、ボーダーワイヤーの受け入れ時と同じ程度のクランプ部の弾性変形が生じる力でクランプ部からボーダーワイヤーが抜け出される向きにクリップを引っ張るなどすることにより、特別な工具などを用いなくても解除できる。また、前記クリップとフランジ状生地及び詰物側との結合も、リテーナに頭部を受入させる時と同じ程度の弾性変形がリテーナに生じる力でリテーナを引っ張るなどしてこのリテーナ内から頭部を抜け出させることで、特別な工具などを用いなくても解除できる。すなわち、前記コイルコンストラクションと前記表地及び詰物との分離さらにはこれらからのクリップの分離も容易になすことができる。
【００１１】
前記クリップの屈曲部の屈曲内側において、前記横向き部分と前記縦向き部分とがなす角度は、直角又は直角よりもやや角度を小さくした鋭角となるようにしておくことが、この発明の好ましい態様の一つとされる。
【００１２】
また、前記クリップの前記縦向き部分における前記クランプ部と前記頭部との間であって、前記クリップの左右方向中程の位置に、突出部を形成しておくことが、この発明の好ましい態様の一つとされる。このようにした場合、リテーナ内に突出部が位置される状態でこのリテーナと前記クリップの縦向き部分との間で強固にフランジ状生地及び詰物の縁部を挟持し得ると共に、リテーナ内に突出部が位置されない位置までリテーナをクリップの縦向き部分をガイドにしてスライド移動させることによりリテーナ内から頭部を抜け出し易くする状態を作り出すことができ、クリップとフランジ状生地及び詰物側との結合の解除をよりスムースなものとすることができる。
【発明の効果】
【００１３】
この発明にかかるベッド用マットレスにあっては、前記クリップとリテーナの２部材によって、コイルコンストラクションと表地及び詰物とを特別の工具などを用いることなく強固に結合することができると共に、両者の分離を特別の工具などを要することなく容易に行なうことができる。
【図面の簡単な説明】
【００１４】
【図１】図１は、この発明の一実施の形態にかかるマットレスの分解斜視構成図であり、クリップ及びリテーナの記載は省略している。
【図２】図２は、前記マットレスの要部をその一部を破断して示した斜視図であり、ボーダーワイヤーに取り付けられた二個のクリップと、これに対応する二個のリテーナを一緒に表している。
【図３】図３は、前記マットレスの要部縦断面構成図である。
【図４】図４は、前記マットレスの要部断面構成図であり、図３の上部を拡大して示している。
【図５】図５は、マットレスを構成するクリップ及びリテーナの斜視図である。
【図６】図６は、マットレスを構成するクリップ及びリテーナの斜視図であり、図５の下側から両者を見て示している。
【図７】図７は、前記クリップの正面図（ａ図）及び右側面図（ｂ図）である。
【図８】図８は、前記リテーナの正面図（ａ図）及び平面図（ｂ図）である。
【図９】図９は従来のマットレスの要部をその一部を破断して示した斜視図である。
【発明を実施するための形態】
【００１５】
以下、図１〜図８に基づいて、この発明の典型的な実施の形態について、説明する。この実施の形態にかかるベット用マットレスは、複数のポケットコイルＰ、Ｐ…を寄せ集めたもの、つまり、かかるポケットコイルＰの集合体Ｍｂをその主体として構成されたものである。
【００１６】
具体的には、この実施の形態にあっては、図１に示されるように、複数のポケットコイルＰ、Ｐ…を並行配列させて、前記集合体Ｍｂを構成させている。ポケットコイルＰは、圧縮コイルスプリングＰａを圧縮させた状態で、ポケットに納めてなる。図示の例では、かかるポケットコイルＰは、圧縮コイルスプリングＰａを納めた複数のポケットを、隣り合うポケット同士が納められた圧縮コイルスプリングＰａの側部側において繋がった状態で、連続的に備えてなる。かかるポケットコイルＰは、筒状にした生地Ｐｂ、典型的には合成樹脂製繊維より構成される不織布からなる生地Ｐｂ内に圧縮コイルスプリングＰａを一つずつ納めながら、この筒状の生地Ｐｂに対し一つずつの圧縮コイルスプリングＰａの両側においてそれぞれその幅方向に沿った溶着部（図示は省略する。）を形成させることで、構成されている。すなわち、ポケットコイルＰは、筒状にした前記生地Ｐｂに対してその長さ方向において隣り合う溶着部との間に間隔を開けて施された複数のこの溶着部によって区分された各空間（すなわち前記ポケット）内にそれぞれ圧縮コイルスプリングＰａを一つずつ納めてなる。典型的には、各圧縮コイルスプリングＰａは同寸同形であり、各ポケットは略同じ大きさとなっている。前記隣り合うポケット同士は前記溶着部において繋がっている。各ポケットに納められた各圧縮コイルスプリングＰａはいずれもスプリング巻回軸を前記筒状の生地の幅方向に沿わせている。図１に示される例では、このように構成される複数のポケットコイルＰ、Ｐ…を、構成されるマットレスの厚さ方向に圧縮コイルスプリングＰａのスプリング巻回中心軸が沿うように並行配列させ、隣り合うポケットコイルＰ同士をその側面において接着させ合わせることにより、前記集合体Ｍｂを構成させている。
【００１７】
かかる集合体Ｍｂは、寄せ集められたポケットコイルＰの上端部により構成される輪郭を四角形状とする上側の水平面部Ｍｂａと、寄せ集められたポケットコイルＰの下端部により構成される輪郭を四角形状とする下側の水平面部Ｍｂａと、寄せ集められたポケットコイルＰのうちの外側に位置されるポケットコイルＰの側面により構成される前記上下の水平面部Ｍｂａ、Ｍｂａ間に亘る厚さ側面部Ｍｂｂとを備えてなる。
【００１８】
かかる集合体Ｍｂの上側の水平面部Ｍｂａ及び下側の水平面部Ｍｂａはそれぞれ、ボーダーワイヤーＭａにより縁取られている。かかるボーダーワイヤーＭａは、典型的には、金属の線材から構成され、前記水平面部Ｍｂａの輪郭に沿った四角形の枠状を呈している。かかるボーダーワイヤーＭａは、金属リングＲによって、前記集合体Ｍｂを構成するポケットコイルＰのうちの外側に位置されるポケットコイルＰに止め付けられている。すなわち、Ｃ字状をなす金属リングＲの内側にボーダーワイヤーＭａを通すようにした状態でこの金属リングＲの開放端を前記生地Ｐｂに刺し込み且つこの金属リングＲ内に圧縮コイルスプリングＰａの一部を位置させた状態から、この金属リングＲを屈曲させてこの金属リングＲの開放箇所を閉じることで、ボーダーワイヤーＭａを集合体Ｍｂに取り付けさせている。前記集合体Ｍｂと、このようにかかる集合体Ｍｂに取り付けられるボーダーワイヤーＭａとによってマットレスの主体となるコイルコンストラクションＭが構成されている。
【００１９】
かかるコイルコンストラクションＭにおける前記集合体Ｍｂの上下の水平面部Ｍｂａ、Ｍｂａはそれぞれ、表地Ｓａによって覆われる。また、この表地Ｓａと集合体Ｍｂの水平面部Ｍｂａとの間には、詰物Ｓｂが納められる。さらに、前記集合体Ｍｂの厚さ側面部ＭｂｂはボーダーＳｃと称される生地によって覆われる。このボーダーＳｃの上縁部は上側の表地Ｓａの縁部に止着され、このボーダーＳｃの下縁部は図示しない下側の表地の縁部に止着され、マットレスが構成される。
【００２０】
前記表地Ｓａはパネルなどとも称され、図示の例では、かかる表地Ｓａをキルティングによって構成させている。表地Ｓａの縁部には、その全周に亘って、フランジ状生地Ｓａ’が備えられている。図示の例では、かかるフランジ状生地Ｓａ’は前記表地Ｓａにおける水平面部Ｍｂａ側に位置される内面と一体をなすと共に、前記集合体Ｍｂの水平面部Ｍｂａを表地Ｓａで覆ったときにこの集合体Ｍｂの厚さ側面部Ｍｂｂの外方に延び出すようになっている。
【００２１】
詰物Ｓｂは典型的にはマット状をなし、プラスチックフォーム材や不織布などが用いられる。図示の例では、表地Ｓａと集合体Ｍｂの水平面部Ｍｂａとの間に一枚の詰物Ｓｂが納められているが、二枚以上の詰物Ｓｂが納められる場合もある。
【００２２】
この実施の形態にかかるマットレスは、  前記ボーダーワイヤーＭａに対するクリップ１と、前記クリップ１との間で前記水平面部Ｍｂａを覆う表地Ｓａの縁部に連接されたフランジ状生地Ｓａ’及び前記表地Ｓａと前記水平面部Ｍｂａとの間に納められる詰物Ｓｂの縁部の双方又はいずれか一方を挟持するリテーナ２とを有している。
【００２３】
かかるクリップ１は、前記水平面部Ｍｂａに接する横向き部分１０と、この横向き部分１０の外端部１０ｃから高さ方向ｚに延びる縦向き部分１１とを有しており、前記横向き部分１０と前記縦向き部分１１との間の屈曲部１２の屈曲内側に前記ボーダーワイヤーＭａを弾性変形により内部に受け入れるクランプ部１３を備えると共に、前記縦向き部分１１の突き出し端部に頭部１１ａを備えている。
【００２４】
一方、前記リテーナ２は、入り口２３を弾性的に広げながら前記クリップ１の前記頭部１１ａを内部に受け入れるチャンネル状体となっている。
【００２５】
前記クリップ１は、前記クランプ部１３に前記弾性変形によりボーダーワイヤーＭａを留め付けることで前記集合体Ｍｂ側と結合され、また、このクリップ１の縦向き部分１１の頭部１１ａとリテーナ２との間にフランジ状生地Ｓａ’及び詰物Ｓｂの縁部を介在させた状態からリテーナ２の入り口２３を弾性的に広げながらこのリテーナ２内に前記頭部１１ａを受入させることでフランジ状生地Ｓａ’及び詰物Ｓｂ側と結合され、これにより、前記集合体Ｍｂ側とフランジ状生地Ｓａ’及び詰物Ｓｂ側とが一体化される。かかる結合は特別な工具などを用いなくとも適切になすことができ、コイルコンストラクションＭを主体としたマットレスを容易に製造することが可能となる。
【００２６】
マットレスの使用状態においては、フランジ状生地Ｓａ’及び詰物Ｓｂの縁部を高さ方向ｚに引っ張る向きの力が作用されることとなるが、前記頭部１１ａはクリップ１の縦向き部分１１の突き出し端部に形成されていることから、このような力が作用されればされるほどリテーナ２が前記頭部１１ａとの間でかかるフランジ状生地Ｓａ’及び詰物Ｓｂの縁部をより強固に挟持するようにすることができる。すなわち、このような力が作用された場合、リテーナ２には前記頭部１１ａを中心とした図３及び図４において符号Ｆで示す向きの前記頭部１１ａを周回する向きの力が作用されることから、前記縦向き部分１１の外側において前記頭部１１ａとリテーナ２との間での挟持力を前記のような力が作用されればされるほど大きくさせることができる。
【００２７】
また、前記クリップ１とボーダーワイヤーＭａの結合は、ボーダーワイヤーＭａの受け入れ時と同じ程度のクランプ部１３の弾性変形が生じる力でクランプ部１３からボーダーワイヤーＭａが抜け出される向きにクリップ１を引っ張るなどすることにより、特別な工具などを用いなくても解除できる。また、前記クリップ１とフランジ状生地Ｓａ’及び詰物Ｓｂ側との結合も、リテーナ２に頭部１１ａを受入させる時と同じ程度の弾性変形がリテーナ２に生じる力でリテーナ２を引っ張るなどしてこのリテーナ２内から頭部１１ａを抜け出させることで、特別な工具などを用いなくても解除できる。すなわち、前記コイルコンストラクションＭと前記表地Ｓａ及び詰物Ｓｂとの分離さらにはこれらからのクリップ１の分離も容易になすことができる。
【００２８】
典型的には、前記四角形の枠状をなすボーダーワイヤーＭａの各辺において、二以上のクリップ１を用いて前記結合がなされる。図示の例では、一つのクリップ１に一つのリテーナ２が組み合わされるようになっている。また、クリップ１の左右方向ｘの寸法（ボーダーワイヤーＭａの長さ方向に沿った方向）はリテーナ２の左右方向ｘの寸法の約二倍となっている。もっとも、クリップ１の左右方向ｘの寸法をさらに大きくして、一つのクリップ１に二以上のリテーナ２が組み合わされるようにしても構わない。
【００２９】
図示の例では、クリップ１における前記横向き部分１０及び縦向き部分１１は共に板状を呈している。また、クリップ１の屈曲部１２の屈曲内側において、前記横向き部分１０と前記縦向き部分１１とがなす角度は、直角よりもやや角度を小さくした鋭角となっっている。前記屈曲部１２の屈曲外側はアール面１２ａとなっており、このアール面１２ａを介して横向き部分１０の外面と縦向き部分１１の外面とが連続している。また、前記屈曲部１２の屈曲内側もアール面１２ｂとなっている。横向き部分１０の内面側には、前記屈曲部１２と頭部１１ａとの間となる位置において、リブ状部１１ｂが左右方向ｘに亘って形成されている。このリブ状部１１ｂは、前記屈曲部１２に向けられた側を湾曲内側とするように湾曲している。リブ状部１１ｂの突き出し端１１ｃと横向き部分１０の内面との間の距離は、ボーダーワイヤーＭａの直径よりもやや小さくなっている一方で、前記屈曲部１２とリブ状部１１ｂとの間に形成されるチューブ状の空間１３ａはボーダーワイヤーＭａの直径と実質的に等しくなっている。図示の例では、かかるリブ状部１１ｂの突き出し端１１ｃと横向き部分１０との間から前記空間１３ａ内に、両者の間の前記距離を広げる弾性変形を生じさせながらボーダーワイヤーＭａを納め入れこれを保持するようになっている。すなわち、図示の例は、前記屈曲部１２とリブ状部１１ｂとによって前記クランプ部１３を構成させている。
【００３０】
図示の例では、横向き部分１０の内外方向ｙの寸法は、縦向き部分１１の高さ方向ｚの寸法よりも大きくなっている。また、前記ボーダーワイヤーＭａよりも内方に位置される横向き部分１０の内端部１０ａは、屈曲されて、縦向き部分１１の延び出す側と同じ側に向けて突き出す立ち上がり部１０ｂが形成されている。この立ち上がり部１０ｂの突き出し寸法は縦向き部分１１の高さ方向ｚの寸法よりも小さくなっている。そして、前記横向き部分１０は、前記クランプ部１３にボーダーワイヤーＭａを保持させた状態において、前記立ち上がり部１０ｂにおいて前記コイルコンストラクションＭの水平面部Ｍｂａに接するようになっている。
【００３１】
頭部１１ａは、図示の例では、クリップ１の左右方向ｘに亘る長さを備えた帯板状体の一面であって、その外端と内端との間に、縦向き部分１１の突き出し端部を一体に連接させることで、この突き出し端部に形成されている。
【００３２】
また、この実施の形態にあっては、前記クリップ１の前記縦向き部分１１における前記クランプ部１３と前記頭部１１ａとの間であって、前記クリップ１の左右方向ｘ中程の位置に、突出部１１ｄを形成している。図示の例では、かかる突出部１１ｄは、縦向き部分１１の内面側において、クランプ部１３を構成する前記リブ状部１１ｂに一端を一体に連接させると共に他端を前記頭部１１ａに一体に連接させた縦向きリブ１１ｅによって構成されている。この縦向きリブ１１ｅの突き出し端と頭部１１ａ、つまり、前記帯板状体の内端との間には、前記リテーナ２の後述の係合代１４となる間隔が形成されている。
【００３３】
一方、前記リテーナ２は、その左右方向ｘのいずれの位置においても、内外方向ｙに沿った断面を同一とする形状となっており、押し出し成形により合成樹脂から適切に生成できるようになっている。
【００３４】
図示の例では、リテーナ２は、基板２０と、この基板２０の一面側においてこの基板２０の外端から立ち上がる外側立ち上がり部２１と、この基板２０の一面側においてこの基板２０の内端から立ち上がる内側立ち上がり部２２とを備えている。また、外側立ち上がり部２１の突き出し端には、内側立ち上がり部２２側に向けて突き出す爪部２１ａが形成されていると共に、内側立ち上がり部２２の突き出し端には、外側立ち上がり部２１側に向けて突き出す爪部２２ａが形成されている。外側立ち上がり部２１と内側立ち上がり部２２との間の距離は前記クリップ１の頭部１１ａの内外方向ｙの寸法よりもやや大きくなっている。これに対して、前記爪部２１ａ、２２ａ間の距離は、前記クリップ１の頭部１１ａの内外方向ｙの寸法よりもやや小さくなっており、かかる爪部２１ａ、２２ａ間がリテーナ２の入り口２３となっている。
【００３５】
前記クリップ１の横向き部分１０が前記集合体Ｍｂの水平面部Ｍｂａに接し、縦向き部分１１がコイルコンストラクョンＭの厚さ側面部Ｍｂｂの外方に位置されるように、前記クランプ部１３にボーダーワイヤーＭａを保持させた状態から、前記フランジ状生地Ｓａ’及び前記詰物Ｓｂの縁部の双方又はいずれか一方を間に挟んで頭部１１ａの外面部にリテーナ２の入り口２３を所定の力をもって押しつけると、リテーナ２側がこの入り口２３を広げるように弾性変形をして前記フランジ状生地Ｓａ’及び前記詰物Ｓｂの縁部の双方又はいずれか一方と一緒に頭部１１ａをリテーナ２内に受け入れるようになっている。そして、受け入れ終了位置でのリテーナ２の弾性復帰により、リテーナ２の外側立ち上がり部２１の爪部２１ａがクリップ１の頭部１１ａを構成する帯板状体の外端を係合代１４としてこれに係合すると共に、リテーナ２の内側立ち上がり部２２の爪部２２ａがクリップ１の頭部１１ａを構成する帯板状体の内端と前記縦向きリブ１１ｅの突き出し端との間を係合代１４としてこれに係合するようになっている。これにより、クリップ１を介して前記集合体Ｍｂ側とフランジ状生地Ｓａ’及び詰物Ｓｂ側とが一体化される。図示の例では、前記基板２０の内面であって、前記入り口２３の直下には、左右方向ｘに亘る突条２４が形成されており、クリップ１の頭部１１ａをリテーナ２内に前記のように受け入れさせた状態において、この突条２４が頭部１１ａ下においてフランジ状生地Ｓａ’及び詰物Ｓｂの縁部に突き立てられるようになっている。なお、図示の例では、前記集合体Ｍｂの水平面部Ｍｂａに張り込まれるシーティングＳｄの縁部をクリップ１のクランプ部１３に納めた状態で、このクリップ１のボーダーワイヤーＭａへの取り付けがなされるようになっている。
【００３６】
マットレスの使用状態においては、フランジ状生地Ｓａ’及び詰物Ｓｂの縁部を高さ方向ｚに引っ張る向きの力が作用されたときは、リテーナ２には前記頭部１１ａを中心とした図３及び図４において符号Ｆで示す向きの前記頭部１１ａを周回する向きの力が作用され、リテーナ２の外側立ち上がり部２１の爪部２１ａとクリップ１の頭部１１ａの外端１１ａ’との距離はより狭められ、両者の間で前記フランジ状生地Ｓａ’及び前記詰物Ｓｂの縁部はより強固に挟持される。
【００３７】
リテーナ２内に頭部１１ａは位置されるが、前記突出部１１ｄとしての縦向きリブ１１ｅが位置されない位置までリテーナ２をクリップ１の縦向き部分１１をガイドにして左右方向ｘにスライド移動させると、この縦向きリブ１１ｅの突き出し寸法分の余裕が頭部１１ａとリテーナ２との間に生じることから、リテーナ２内から頭部１１ａを抜き出し易くなる。このように、リテーナ２をスライド移動させた状態から、頭部１１ａをリテーナ２内から抜け出させる向きにリテーナ２を引っ張ることで、前記入り口２３を再び広げさせてリテーナ２内から頭部１１ａを抜け出させ、クリップ１とフランジ状生地Ｓａ’及び詰物Ｓｂ側との結合をスムースに解除することができる。
【００３８】
前記クリップ１及びリテーナ２を、プラスチック成形品とすることで、これらにおける前記弾性変形特性を有すべき部分に、かかる弾性変形特性を容易且つ適切に付与することができる。
【００３９】
なお、当然のことながら、本発明は以上に説明した実施態様に限定されるものではなく、本発明の目的を達成し得るすべての実施態様を含むものである。
【符号の説明】
【００４０】
Ｍａ  ボーダーワイヤー
Ｍｂａ  水平面部
Ｓａ  表地
Ｓａ’  フランジ状生地
ｚ  高さ方向
１  クリップ
１０  横向き部分
１０ｃ  外端部
１１  縦向き部分
１１ａ  頭部
１２  屈曲部
１３  クランプ部
２  リテーナ
２３  入り口
【図１】
2015107150.tif 000003
【図２】
2015107150.tif 000004
【図３】
2015107150.tif 000005
【図４】
2015107150.tif 000006
【図５】
2015107150.tif 000007
【図６】
2015107150.tif 000008
【図７】
2015107150.tif 000009
【図８】
2015107150.tif 000010
【図９】
2015107150.tif 000011